(57)【要約】【課題】転倒による衝撃が加わったとしても、パネルモジュールの撓み変形を抑制し、パネルのガラスの破損を防止する映像表示装置を提供する。【解決手段】映像を表示可能なパネル２１と、パネル２１を支持する略平板状のシャーシ１１と、シャーシ１１が固定されている前面筐体３０とを備え、シャーシ１１は、パネル２１を支持している領域の少なくとも一辺において、面方向に突出形成された固定部１３を備え、固定部１３における連続した面が前面筐体３０に固定されている。【選択図】図２
2010015098.tif 000002
【特許請求の範囲】
【請求項１】
映像を表示可能なパネルと、
前記パネルを支持する略平板状のシャーシと、
前記シャーシが固定されている筐体とを備え、
前記シャーシは、
前記パネルを支持している領域の少なくとも一辺において、面方向に突出形成された固定部を備え、
前記固定部における連続した面が前記筐体に固定されている、映像表示装置。
【発明の詳細な説明】
【技術分野】
【０００１】
本発明は、大画面で、薄型、軽量のディスプレイ装置として知られているプラズマディスプレイ装置などの映像表示装置に関する。特に、落下衝撃に対して改良した構造に関する。
【背景技術】
【０００２】
近年、薄型テレビの普及が進んでいるが、中でもプラズマディスプレイ装置は、高速の表示が可能であり、視野角が広いこと、大型化が容易であること、自発光型であるため表示品質が高いことなどの理由から、多くの人が集まる場所での表示装置や家庭で大画面の映像を楽しむための表示装置として開発が進められている。
【０００３】
このプラズマディスプレイ装置に用いられるパネルは、大別して、駆動的にはＡＣ型とＤＣ型があり、放電形式では面放電型と対向放電型の２種類があるが、高精細化、大画面化および製造の簡便性から、現状では主流は、３電極構造の面放電型のものである。
【０００４】
この面放電型のプラズマディスプレイのパネル構造は、少なくとも前面側が透明な一対の基板を基板間に放電空間が形成されるように対向配置するとともに、前記放電空間を複数に仕切るための隔壁を基板に配置し、かつ前記隔壁により仕切られた放電空間で放電が発生するように基板に電極群を配置するとともに放電により発光する赤色、緑色、青色に発光する蛍光体を設けて複数の放電セルを構成したもので、放電により発生する波長の短い真空紫外光によって蛍光体を励起し、赤色、緑色、青色の放電セルからそれぞれ赤色、緑色、青色の可視光を発することによりカラー表示を行っている。
【０００５】
このようなプラズマディスプレイ装置においては、例えば特許文献１に記載されているように、ガラスが主材料のパネルをアルミニウムなどの金属製のシャーシ部材の前面側に保持させ、そのシャーシ部材の背面側にパネルを発光させるための駆動回路を構成する回路基板を配置し、シャーシ部材の周縁部で複数のフレキシブル配線板によりパネルと回路基板を接続することによりパネルモジュールを構成している。パネルモジュールは、シャーシ部材の周縁部でフレキシブル配線板の間に設けられた複数の突出部により前面枠に設けられた取り付け金具に固定されて、前面枠とバックカバーからなる筐体内に収容される構造である。
【特許文献１】特開２００７−１２１８２９号公報
【発明の開示】
【発明が解決しようとする課題】
【０００６】
しかしながら、上述のような従来の技術では、パネルが薄型ガラスでありかつ大型であるために重量があり、設置などの際に誤って前面側へ転倒させるなどした場合、落下衝撃でパネル前面方向へ自重による加速度がかかるとパネルモジュールが周縁部で固定支持されるため中央部で撓みを生じ、特に支持距離の長いパネルモジュール長辺側で大きな撓み変形を生じることから、ガラス製のパネルが破損してしまうという問題があった。
【０００７】
本発明の目的は、転倒による衝撃が加わったとしても、パネルモジュールの撓み変形を抑制し、パネルのガラスの破損を防止する映像表示装置を提供することである。
【課題を解決するための手段】
【０００８】
本発明の映像表示装置は、映像を表示可能なパネルと、前記パネルを支持する略平板状のシャーシと、前記シャーシが固定されている筐体とを備え、前記シャーシは、前記パネルを支持している領域の少なくとも一辺において、面方向に突出形成された固定部を備え、前記固定部における連続した面が前記筐体に固定されているものである。
【発明の効果】
【０００９】
本発明によれば、撓み変形しやすい長辺側を、連続した面で前面枠に固定することで、転倒による衝撃が加わってもパネルモジュールの撓み変形を抑制でき、パネルの破損を防止することができる。
【発明を実施するための最良の形態】
【００１０】
（実施の形態）
図１は、本実施の形態におけるプラズマディスプレイ装置の外観を示す斜視図である。図１に示すように、プラズマディスプレイ装置１は、主に略薄板状の本体の主平面に、映像を表示可能な表示部２を備えて構成されている。
【００１１】
図２は、本実施の形態のプラズマディスプレイ装置の分解斜視図を示す。図２において、矢印Ｘが指している側を「前面側」と定義し、矢印Ｙが指している側を「背面側」と定義する。図２に示すように、プラズマディスプレイ装置は、シャーシ部材１０、パネル部材２０、および前面筐体３０を備えている。なお、説明の便宜上、シャーシ部材１０の背面側に配される背面筐体などの図示は省略した。シャーシ部材１０は、シャーシ１１、駆動回路基板１２ａ〜１２ｃ、固定部１３、固定部１４、リブ１５を備えている。パネル部材２０は、パネル２１、粘着シート２２、フレキシブル配線板２３、フレキシブル配線板２４を備えている。
【００１２】
シャーシ１１は、略長方形状でかつ薄板状のアルミニウムなどの金属で形成され、パネル部材２０を前面筐体３０に支持させるためのものである。また、シャーシ１１は、熱伝導性に優れた材料で形成することで放熱板としての機能を有する。また、シャーシ１１は、背面側の主平面に駆動回路基板１２ａ〜１２ｃ及びリブ１５を備えている。また、シャーシ１１の長辺部には、その面方向に突出するように、固定部１３が形成されている。また、シャーシ１１の短辺部には、その面方向に突出するように、複数の固定部１４が形成されている。
【００１３】
固定部１３は、シャーシ１１の長辺部のほぼ全長に亘って連続的に形成され、シャーシ１１の撓みを低減している。また、固定部１３は、シャーシ１１における対向する一対の長辺部にそれぞれ形成されている。また、固定部１３は、シャーシ１１においてパネル２１が配されている領域から面方向に突出して形成されている。また、固定部１３は、ネジを挿通するための複数の孔部１３ａと、フレキシブル配線板２３を挿通するための複数の孔部１３ｂとが、それぞれシャーシ１１の長手方向に並設されている。孔部１３ｂは、パネル部材２０に配されているフレキシブル配線板２３の位置に合わせた位置に形成されている。また、孔部１３ｂは、本実施の形態では略長方形の長孔とした。
【００１４】
固定部１４は、シャーシ１１の短辺部において、所定の間隔を隔てて複数個形成されている。また、固定部１４は、シャーシ１１における対向する一対の短辺部にそれぞれ形成されている。また、固定部１４は、シャーシ１１においてパネル２１が配されている領域から面方向に突出して形成されている。また、固定部１４は、ネジを挿通するための孔部１４ａが形成されている。また、固定部１４を構成している各固定部の間隔は、少なくともフレキシブル配線板２４を挿通可能な間隔を有する。
【００１５】
リブ１５は、シャーシ１１の変形を抑えるために設けられている。シャーシ１１は、薄板状であるとともに、アルミニウムなどの弾性変形可能な金属で形成されているため、その主平面の法線方向に撓み変形を生じる可能性がある。本実施の形態のようにリブ１５を備えることで、シャーシ１１の撓み変形を抑えることができる。
【００１６】
駆動回路基板１２ａ〜１２ｃは、パネル２１を表示駆動させるための駆動回路を備えている。駆動回路基板１２ａは、主平面１１ａにおける長辺方向両端部近傍にそれぞれ配されている。駆動回路基板１２ｂは、主平面１１ａにおける短辺方向両端部にそれぞれ配されている。駆動回路基板１２ｃは、主平面１１ａの略中央近傍に配されている。
【００１７】
パネル２１は、複数の放電セルが形成されているガラス基板で形成されている。また、パネル２１は、シャーシ１１の前面側に粘着シート２２によって貼着されている。
【００１８】
粘着シート２２は、パネル２１の背面側の主平面のほぼ全域に配置される。また、粘着シート２２は、パネル２１から発せられる熱をシャーシ１１へ伝える放熱機能と、パネル部材２０をシャーシ部材１０に保持固定する機能とを有する。
【００１９】
フレキシブル配線板２３は、パネル２１の短辺方向端部において、一定の間隔で配されている。また、フレキシブル配線板２３は、シャーシ１１に形成された孔部１３ｂを挿通し、駆動回路基板１２ｂに電気的に接続するように配される。
【００２０】
フレキシブル配線板２４は、パネル２１の長辺方向端部において、一定の間隔で配されている。また、フレキシブル配線板２４は、シャーシ１１の短辺側に形成された固定部１４の間を通り、シャーシ１１の外周部で引き回されて、駆動回路基板１２ａに電気的に接続するように配される。
【００２１】
前面筐体３０は、開口部３１を備え、開口部３１を閉塞するようにガラスで形成された前面保護パネル３３が配されている。
【００２２】
図３は、図１におけるＺ−Ｚ部の断面を示し、構成を明瞭に図示するためにＺ−Ｚ部の端部近傍の要部断面図とした。
【００２３】
パネルモジュール４０は、シャーシ部材１０とパネル部材２０とが、粘着シート２２により貼着固定されて構成されている。また、パネルモジュール４０は、固定部１３及び１４を前面筐体３０に設けられた取り付け金具３２に、ネジ３４で締結固定することにより、前面筐体３０に固定されている。なお、長辺側の固定部１３に形成されている孔部１３ａは、孔部１３ｂよりもシャーシ１１の中心から離れた位置に形成されているため、孔部１３ｂの位置に影響されない位置に形成することができ、設計自由度が向上する。また、バックカバー５０が、前面筐体３０にネジ５１により締結固定されている。また、フレキシブル配線板２３は、パネル２１から引き出され、孔部１３ｂを挿通し、シャーシ１１の背面側に配された駆動回路基板１２ｂに電気的に接続されている。また、フレキシブル配線板２４は、パネル２１から引き出され、固定部１４の間を通り、シャーシ１１の背面側に配された駆動回路基板１２ａに電気的に接続されている。
【００２４】
このようにして構成されたプラズマディスプレイ装置１は、前面側が鉛直下向きになる姿勢で転倒した際の衝撃を受けた瞬間に、図３に示す状態からシャーシ１１やパネル２１などからなるパネルモジュール４０（図２参照）が、自重により矢印Ａに示す方向（シャーシ１１の主面の法線方向）へ変位しようとする。この変位に伴い、シャーシ１１の長辺部が撓み変形しようとするが、シャーシ１１の長辺部の端部には固定部１３が形成され、固定部１３における連続的な面が前面筐体３０に固定されていることにより、剛性が高くなっているため、シャーシ１１の撓み変形を抑えることができる。
【００２５】
以上のように本実施の形態によれば、シャーシ１１の長辺部の端部に固定部１３を形成したことにより、シャーシ１１の長辺部近傍の剛性を高くすることができ、転倒衝撃時にシャーシ１１が撓み変形するのを抑えることができる。よって、シャーシ１１に貼着固定されたパネル２１の撓み変形を抑えることができ、パネル２１の破損を抑制することができる。
【００２６】
なお、本実施の形態では、シャーシ１１における互いに対向する一対の長辺部に固定部１３を備える構成としたが、いずれか一方のみに備える構成としてもよい。例えば、電源ユニットなどの重量物の近傍の長辺部のみに配する構成とすることで、プラズマディスプレイ装置１を転倒させた際に発生する衝撃エネルギーが大きい部位を重点的に剛性を上げることができ、パネル２１の破損を抑制することができる。
【００２７】
また、本実施の形態では、固定部１４はシャーシ１１の短辺部において断片的に形成したが、固定部１３のように連続的に形成してもよい。このような構成とすることで、シャーシ１１の短辺部の剛性も上げることができ、パネル２１の破損を抑制することができる。
【００２８】
また、本実施の形態では、プラズマディスプレイ装置を一例として挙げたが、液晶ディスプレイ装置や有機ＥＬディスプレイ装置にも応用が可能である。
【産業上の利用可能性】
【００２９】
本発明は、前面転倒などの耐衝撃性に優れ、画面サイズが大きなプラズマディスプレイ装置に有用である。
【図面の簡単な説明】
【００３０】
【図１】実施の形態におけるプラズマディスプレイ装置の全体構成を示す斜視図
【図２】プラズマディスプレイ装置の分解斜視図
【図３】図１におけるＺ−Ｚ部の要部断面図
【符号の説明】
【００３１】
１  プラズマディスプレイ装置
１０  シャーシ部材
１３  固定部
２０  パネル部材
２１  パネル
３０  前面筐体
【図１】
2010015098.tif 000003
【図２】
2010015098.tif 000004
【図３】
2010015098.tif 000005